(57)【要約】【課題】堤体の高さや強度を容易に調整できるとともに、施工期間の短縮化を図ることができる堤体を提供する。【解決手段】鋼管杭５に、プレキャストコンクリート部材からなる柱６が鋼管杭５の一端から突出するようにして挿入され、この挿入された挿入部６ａと鋼管杭５との間に、コンクリートＣが充填されることによって、鋼管杭５と柱６とが一体化してなる構造体１が形成され、この構造体１の上部に、壁体を構成するプレキャスト部材２１,２２,２３が柱６の上方から外挿されて固定されている。したがって、柱６の突出長さを調整することによって、堤体の高さを容易に調整でき、また、柱６の挿入部６ａと鋼管杭５とが重なっているラップ部１０の位置や長さを調整することによって、堤体の強度（耐力）を容易に調整できる。【選択図】図１
2014227775.tif 000002
【特許請求の範囲】
【請求項１】
鋼管に、この鋼管の軸方向に長尺な構造部材が前記鋼管の一端から突出するようにして挿入され、この挿入された挿入部と前記鋼管との間に、コンクリートが充填されることによって、前記鋼管と前記構造部材とが一体化してなる構造体が形成され、
前記鋼管または前記構造部材のいずれか一方が杭、他方が柱となっており、
前記構造体の上部に、壁体を構成するプレキャスト部材が前記柱の上方から外挿されて固定されていることを特徴とする堤体。
【請求項２】
前記鋼管に挿入されている前記構造部材の挿入部と前記鋼管とが重なっているラップが、前記構造体に発生すると想定される断面力が大きい部分を含む位置に設けられていることを特徴とする請求項１に記載の堤体。
【請求項３】
前記構造部材は、鋼材またはプレキャストコンクリート部材によって構成されていることを特徴とする請求項１または２に記載の堤体。
【請求項４】
前記プレキャスト部材に挿入孔が形成されており、
前記構造体に、前記挿入孔の内壁が固定金具によって固定されていることを特徴とする請求項１〜３のいずれか１項に記載の堤体。
【請求項５】
前記プレキャスト部材に挿入孔が形成されており、
この挿入孔と、当該挿入孔に挿入される前記構造体との間に充填材が充填されていることを特徴とする請求項１〜４のいずれか１項に記載の堤体。
【請求項６】
前記構造体が横方向に所定間隔で複数設けられており、
前記プレキャスト部材に、複数の前記構造体をまとめて挿入する１つの前記挿入孔または複数の前記構造体をそれぞれ挿入する複数の前記挿入孔が形成されていることを特徴とする請求項１〜５のいずれか１項に記載の堤体。
【発明の詳細な説明】
【技術分野】
【０００１】
本発明は、沿岸部等に設けられる堤体に関する。
【背景技術】
【０００２】
東北地方太平洋沖地震による大津波に鑑み、将来的に津波が押し寄せると考えられる沿岸部において、防潮堤等の堤体を短期間で施工することが望まれている。
現地での施工期間短縮のために堤体をプレキャスト化することが考えられるが、具体的に堤体をどのような構造とするかについては現在検討されているところである。
【０００３】
防波堤においては、特許文献１に記載のものが知られている。この防波堤は、杭頭が水底面から突出した状態となるように打設された杭と、該杭によって支持されるとともに、波浪の進行方向に対して直交状態に延在する防波板部とを備えた防波堤であって、前記防波板部は、複数の防波ブロックを一体化することにより形成され、該防波ブロックは、該上下に貫通する貫通孔を備えた構成とされ、該貫通孔に前記杭が挿通されることにより、前記防波ブロックと前記杭とが一体化されてなるものである。
【先行技術文献】
【特許文献】
【０００４】
【特許文献１】特開２００１−３３３１号公報
【発明の概要】
【発明が解決しようとする課題】
【０００５】
ところで、海底地震が起きた場所や当該地震の規模によって、それぞれの沿岸部に押し寄せる津波の高さや強さが異なるため、これに対応して防潮堤等の堤体を短期間で施工する必要がある。
しかし、前記従来の防波堤は、防波板部が杭によって支持されている構造であるため、これを防潮堤等の堤体に転用した場合、防潮堤の高さや強度を調整することは困難である。つまり、防潮堤の高さや強度を調整するには、杭の長さや、杭の太さ等を変更しなればならず、施工現場でこれに対応することは困難である。
【０００６】
本発明は、前記事情に鑑みてなされたもので、堤体の高さや強度を容易に調整できるとともに、施工期間の短縮化を図ることができる堤体を提供することを目的とする。
【課題を解決するための手段】
【０００７】
前記目的を達成するために、本発明の堤体は、鋼管に、この鋼管の軸方向に長尺な構造部材が前記鋼管の一端から突出するようにして挿入され、この挿入された挿入部と前記鋼管との間に、コンクリートが充填されることによって、前記鋼管と前記構造部材とが一体化してなる構造体が形成され、
前記鋼管または前記構造部材のいずれか一方が杭、他方が柱となっており、
前記構造体の上部に、壁体を構成するプレキャスト部材が前記柱の上方から外挿されて固定されていることを特徴とする。
【０００８】
本発明においては、鋼管に構造部材が鋼管の一端から突出するように挿入されているので、当該構造部材の突出長さを調整することによって、構造体の高さを調整することができる。そして、この高さ調整された構造体の上部に壁体を構成するプレキャスト部材が柱の上方から外挿されて固定されているので、堤体の高さを容易に調整できる。
また、前記鋼管に挿入されている構造部材の挿入部と前記鋼管とが重なっているラップ部は、合成構造として鋼管と構造部材の累加強度（単純累加強度または一般化累加強度）を耐力として評価できる。したがって、鋼管や構造部材の長さや太さ（直径）、さらに、ラップ部の位置や長さを調整することによって、津波等の外力に応じた経済的な設計が可能であり、堤体の強度（耐力）を容易に調整できる。
【０００９】
また、構造体は、鋼管とこの鋼管に挿入された構造部材の挿入部との間に、コンクリートが充填されることによって、鋼管と構造部材とが一体化してなるものであるので、鋼管と構造部材との溶接が不要となり、その結果、工期を短縮できるとともに品質管理も容易であり、さらに、現場での鋼管や構造部材の寸法合わせも容易となる。
さらに、鋼管と構造部材とが一体化してなる構造体に、壁体を構成するプレキャスト部材が外挿されて固定されているので、現場での鉄筋組立てや型枠組立の作業が不要となり、この点においても施工期間の短縮化を図ることができる。
また、構造体にプレキャスト部材を固定した壁体構造となっているので、壁体の品質管理が容易であり、壁体の一部が損傷、劣化した場合、その部分のプレキャスト部材を取り換えることによって、部分的な補修も容易となる。
加えて、堤体の主要構造が鋼管と構造部材との一体構造であるため、構造的な弱点が無く粘り強いものとなるとともに、プレキャスト部材の厚さを薄くすることがきるので、堤体として全体的にスリムになり、狭隘地にも容易に施工できる。
【００１０】
本発明の前記構成において、前記鋼管に挿入されている前記構造部材の挿入部と前記鋼管とが重なっているラップが、前記構造体に発生すると想定される断面力が大きい部分を含む位置に設けられているのが好ましい。
【００１１】
このような構成によれば、津波等の外力を受けることによって、構造体に発生すると想定される断面力が大きい部分を含む位置に、ラップ部が設けられているので、津波等の外力に対して効果的かつ十分に耐え得るものとなる。
【００１２】
また、本発明の前記構成において、前記構造部材は、鋼材またはプレキャストコンクリート部材によって構成されていてもよい。
この場合、構造部材は杭として使用してもよいし、柱として使用してもよい。
【００１３】
このような構成によれば、構造部材が鋼材によって構成されている場合、当該構造部材と鋼管との双方が鋼材で構成されているので、鋼管と構造部材とが一体化してなる構造体としてさらに粘り強いものとなる。
また、構造部材がプレキャストコンクリート部材によって構成されるとともに柱である場合、当該柱が潮風に含まれている塩分等によって腐食され難いという利点があり、構造部材がプレキャストコンクリート部材によって構成されるとともに杭である場合、当該杭が沿岸部の地盤に含まれている塩分等によって腐食され難いという利点がある。
【００１４】
また、本発明の前記構成において、前記プレキャスト部材に挿入孔が形成されており、
前記構造体に、前記挿入孔の内壁が固定金具によって固定されていてもよい。
【００１５】
このような構成によれば、構造体に、固定金具によってプレキャスト部材を確実に固定できる。
【００１６】
また、本発明の前記構成において、前記プレキャスト部材に挿入孔が形成されており、
この挿入孔と、当該挿入孔に挿入される前記構造体との間に充填材が充填されているのが好ましい。
【００１７】
ここで、前記充填材としては、場所打ちコンクリート、瓦礫、土石が好適に使用されるが、これらを混合したものであってもよい。
【００１８】
このような構成によれば、プレキャスト部材に形成された挿入孔と、前記構造体との間が充填材によって満たされるので、堤体としての強度が高まるともに、充填材が場所打ちコンクリートの場合、構造体にプレキャスト部材を強固に固定でき、また、充填材が瓦礫や土石の場合、これらの処理にも役立つ。
【００１９】
また、本発明の前記構成において、前記構造体が横方向に所定間隔で複数設けられており、
前記プレキャスト部材に、複数の前記構造体をまとめて挿入する挿入孔または複数の前記構造体をそれぞれ挿入する複数の挿入孔が形成されていてもよい。
【００２０】
このような構成によれば、プレキャスト部材に、複数の構造体をまとめて挿入する挿入孔が形成されている場合、複数の構造体を容易に挿入孔に挿入できるとともに、挿入孔が比較的大きなものとなるで、プレキャスト部材に、複数の構造体をそれぞれ挿入する複数の挿入孔が形成されている場合に比して、プレキャスト部材の製造が容易となるとともに、当該プレキャスト部材の製造に使用されるコンクリートの量を抑えることができる。
また、プレキャスト部材に、複数の構造体をそれぞれ挿入する複数の挿入孔が形成されている場合、構造体に対するプレキャスト部材の固定精度が高まるともに、構造体とプレキャスト部材の挿入孔との間にコンクリートを充填する場合の、当該コンクリートの充填量を少なくできる。
【発明の効果】
【００２１】
本発明によれば、堤体の高さや強度を容易に調整できるとともに、施工期間の短縮化を図ることができる。
【図面の簡単な説明】
【００２２】
【図１】本発明に係る堤体の第１の実施の形態を示すもので、堤体の正面図である。
【図２】同、（ａ）は堤体の側面図、（ｂ）は構造体の断面図である。
【図３】同、図１におけるＢ−Ｂ線断面図である。
【図４】同、図１におけるＡ−Ａ線断面図である。
【図５】同、（ａ）プレキャスト部材の平面図、（ｂ）はプレキャスト部材の断面図である。
【図６】同、堤体の変形例を示す側面図である。
【図７】同、（ａ）は鋼管杭の固定金具を取り付けた状態を示す断面図、（ｂ）は固定金具の正面図である。
【図８】同、（ａ）は柱に固定金具を取り付けた状態を示す断面図、（ｂ）は固定金具の正面図である。
【図９】本発明に係る堤体の第２の実施の形態を示すもので、堤体の背面図である。
【図１０】同、堤体の側面図である。
【図１１】同、図９におけるＢ−Ｂ線断面図である。
【図１２】同、図９におけるＡ−Ａ線断面図である。
【図１３】同、（ａ）プレキャスト部材の平面図、（ｂ）はプレキャスト部材の正面図である。
【図１４】同、堤体の変形例を示す側面図である。
【発明を実施するための形態】
【００２３】
以下、図面を参照して本発明の係る堤体の実施の形態について説明する。
（第１の実施の形態）
図１〜図４は第１の形態の堤体を示すもので、図１は正面図、図２（ａ）は側面図、図２（ｂ）は後述するラップ部の断面図、図３は図１におけるＢ−Ｂ線断面図、図４は図１におけるＡ−Ａ線断面図である。
【００２４】
これらの図に示す堤体は防潮堤として構築されたものであり、複数の構造体１と、当該構造体１に外挿されて固定されて、壁体を構成する複数のプレキャスト部材２とを有している。
構造体１は、鋼管５と、この鋼管５に当該鋼管５の上端から突出するようにして挿入された構造部材６との間にコンクリートＣ（図２（ｂ）参照）が充填されることによって、鋼管５と構造部材６とが一体化してなるものである。
そして、本実施の形態では、鋼管５が杭、構造部材６が柱となっている。以下では、鋼管５を鋼管杭５、構造部材６を柱６として説明する。したがって、本実施の形態における構造体１は、鋼管杭５と柱６とがコンクリートＣによって一体化してなるものである。
【００２５】
なお、図１および図２（ａ）、図６においては、鋼管杭５および柱６や、後述する固定金具１１,１２は、内部構造であるので本来は隠れ線として破線で記載すべきものであるが、図示を分かりやすくするために実線で記載している。
【００２６】
鋼管杭５は円筒状のものであり、海岸線の地盤に当該海岸線に沿って所定間隔で複数本打設されている。なお、鋼管杭５は周知の中堀工法等によって打設すればよい。打設された鋼管杭５の上端部は地盤Ｇの地盤面から所定長さだけ突出している。鋼管杭５が打設された地盤中には基礎砕石による砕石層７が施工され、この砕石層７上に基礎コンクリート８が施工されている。
前記柱６は、円筒状のプレキャストコンクリート部材によって構成されている。このプレキャストコンクリート部材としては、例えば、ＰＨＣ杭（高強度プレストレストコンクリート杭）を柱として転用したものを使用できる。
この柱６は、鋼管杭５に当該鋼管杭５の上端から突出するようにして、鋼管杭５の上端開口から挿入されたものであり、鋼管杭５の上端からの突出長さは、適宜設定される。また、柱６の下端は、本実施の形態では地盤Ｇの地盤面より上方に位置しているが、これに限ることはなく、柱６の下端位置は適宜設定される。また、柱６は鋼管杭５に同軸になるようにして挿入されている。
【００２７】
前記鋼管杭５に挿入されている柱６の挿入部６ａと鋼管杭５の上端部とが重なっているラップ部１０において、柱６と鋼管杭５との間にコンクリートＣが充填されており（図２（ｂ）参照）、これによって、鋼管杭５と柱６とがコンクリートＣによって一体化されて前記構造体１が構成されている。
柱６と鋼管杭５との間にコンクリートＣを充填する場合、例えば、鋼管杭５の内周面に、底板を前記ラップ部１０より下方の位置で固定したうえで、鋼管５の上端開口からコンクリートＣを充填すればよい。このコンクリートＣは底板より上方に充填され、ラップ部１０において、柱６と鋼管杭５との間に充填される。
なお、前記ラップ部１０において、鋼管杭５の内周面と、柱６の外周面とのうち、少なくともいずれか一方に突起を設けることによって、ラップ部１０における鋼管杭５と柱６との一体化強度を高めることができる。
【００２８】
このようなラップ部１０は、津波を受けることによって、構造体１に発生すると想定される断面力が大きい部分を含む位置に設けられている。つまり、津波等の外力を受けた際に生じる曲げモーメントが大きくなる部分を含む位置に設けられている。例えば、本実施の形態では、後述する中段のプレキャスト部材２２,２（２２）が設けられる部位に対応して設けられている。
なお、鋼管杭５は海岸線に沿って所定間隔で複数本打設されているので、構造体１も海岸線に沿って所定間隔で複数構築されている。
【００２９】
前記のようにして構築された構造体１に、前記プレキャスト部材２が外挿されて固定されることによって本実施の形態の堤体が構築されている。
すなわち、まず本実施の形態では、図３〜図５に示すように、プレキャスト部材２は鉄筋コンクリート製の矩形筒状のもので、３種類用意されている。プレキャスト部材２は、図５（ａ）に示すように、２つの門形のカルバート部材２ａ,２ａを対向させて連結金物２ｃで連結することによって矩形筒状に形成されている。
このようなプレキャスト部材２のうち、図１および図２に示すように、下段に上下に２つ設置されるものをプレキャスト部材２１、中段に上下に２つ設置されるものをプレキャスト部材２２、上段に上下に２つ設置されるものをプレキャスト部材２３とする。
【００３０】
３種類のプレキャスト部材２１,２２,２３は高さと左右方向の幅は等しくなっているが、奥行き方向（図２（ａ）において左右方向）の厚さが異なっている。この厚さは、図２（ａ）に示すように、プレキャスト部材２１が最も厚く、プレキャスト部材２２,２３の順で薄くなっている。
また、プレキャスト部材２１,２２,２３の内側には、複数（本実施の形態では、３個）の構造体１をまとめて挿入する挿入孔２１ａ,２２ａ,２３ａが形成されている。これら挿入孔２１ａ,２２ａ,２３ａは平面視において矩形状に形成されている。
【００３１】
そして、３個の構造体１に、プレキャスト部材２１,２２,２３を外挿する場合、下段から順にプレキャスト部材２１,２２,２３をそれぞれ２個ずつ、基礎コンクリート８上に積み上げていくとともに、これらプレキャスト部材２１,２２,２３の挿入孔２１ａ,２２ａ,２３ａに構造体１を３個まとめて相対的に挿入することにより行う。
なお、プレキャスト部材２１,２２,２３を上下に積み上げていく場合、上下に隣り合うプレキャスト部材２１,２２（２２,２３）を左右にずらして、いわゆる千鳥状に積み上げていってもよい。
【００３２】
また、本実施の形態では、構造体１を構成する鋼管杭５の上端と中段の上側のプレキャスト部材２２の上端とが同じ高さに位置している。したがって、鋼管杭５には、下段の２個のプレキャスト部材２１と中段の２個のプレキャスト部材２２とが外挿されている。
また、プレキャスト部材２１,２２,２３の挿入孔２１ａ,２２ａ,２３ａに構造体１を挿入する場合、これらプレキャスト部材２１,２２,２３の海側を向く面（図２において左側面）が鉛直かつ面一になるようにして挿入して、プレキャスト部材２１の上に順次、プレキャスト部材２２,２３を積み重ねる。
このようにして、上下に合計６個のプレキャスト部材２１,２２,２３が積み重ねられて堤体が構成される。このような堤体では、図２に示すように、海側を向く面は鉛直な平面となっているが、それと反対側の陸側を向く面は階段状になっている。
【００３３】
なお、図６に示すように、プレキャスト部材２が積み重ねられてなる堤体の陸側を向く面を、下方の方が前後方向の厚さが厚くなるような傾斜面に形成してもよい。この場合、上下に６段積み重ねるプレキャスト部材２は、側面視において台形状に形成されたものとなる。
【００３４】
また、前記プレキャスト部材２１,２２,２３は以下のようにして、構造体１に固定されている。
すなわち、まずプレキャスト部材２１の挿入孔２１ａに構造体１を相対的に挿入した後、この構造体１に挿入孔２１ａの内壁が固定金具１１によって固定されている。
構造体１の鋼管杭５の外周部には前記ラップ部１０の下方において、固定金具１１が溶接等によって取り付けられている。この固定金具１１は予め工場で鋼管杭５に取り付けておくのが好ましいが、現場で取り付けてもよい。
固定金具１１は、図３および図７に示すように、鋼管杭５の外周部に直径方向に延出するようにして取付られた一対のプレート１１ａと、このプレート１１ａに挿通されるインサートアンカー１１ｂとを有している。
【００３５】
そして、図３に示すように、インサートアンカー１１ｂを挿入孔２１ａの内壁に設けられた図示しないインサートにねじ込むことによって、構造体１の鋼管杭５に挿入孔２１ａの内壁が固定されている。つまり、構造体１の鋼管杭５に挿入孔２１ａの内壁が固定金具１１を介して固定されている。
なお、プレキャスト部材２１の内壁には対向する壁面のうち一方の壁面に凸部２１ｂが形成され、固定金具１１の他方のプレート１１ａに挿通されたインサートアンカー１１ｂが凸部２１ｂに設けられた図示しないインサートにねじ込まれている。
また、中段のプレキャスト部材２２の挿入孔２２ａに構造体１を相対的に挿入した後、構造体１の鋼管杭５に挿入孔２２ａの内壁が同様の固定金具１１によって、同様にして固定されている。
【００３６】
さらに、上段のプレキャスト部材２３の挿入孔２３ａに構造体１を挿入した後、構造体１の柱６に挿入孔２３ａの内壁が固定金具１２によって固定されている。
すなわちまず、構造体１の柱６の外周部には固定金具１２が取り付けられている。この固定金具１２は予め工場で柱６に取り付けておくのが好ましいが、現場で取り付けてもよい。
固定金具１２は、図８に示すように、柱６の外周部に直径方向に延出するようにして取付られた一対のプレート１２ａと、このプレート１２ａに挿通されるインサートアンカー１２ｂとを有している。プレート１２ａは柱６の半外周面に装着される円弧状プレート１２ｃに取り付けられており、この円弧状プレート１２ｃの両端部にそれぞれ接合プレート１２ｄが形成されている。
そして、一対の円弧状プレート１２ｃ,１２ｃが柱６の外周面に装着されたうえで、接合プレート１２ｄ,１２ｄがボルトとナットによって接合されることによって、固定金具１２が柱６の外周面に取り付けられている。
【００３７】
そして、図４に示すように、インサートアンカー１２ｂを挿入孔２３ａの内壁に設けられた図示しないインサートにねじ込むことによって、構造体１の柱６に、挿入孔２３ａの内壁が固定されている。つまり、構造体１の柱６に、挿入孔２３ａの内壁が固定金具１２を介して固定されている。
このようにして、構造体１にプレキャスト部材２１,２２,２３が固定金具１１,１２を介して固定されている。
【００３８】
そして、図１および図２（ａ）に示すように、構造体１に固定されたプレキャスト部材２１,２２,２３の、上段のプレキャスト部材２３の上端に天端コンクリートＣ１を打設して、当該プレキャスト部材２３の挿入孔２３ａを塞いで、雨水等の侵入を防止することによって、本実施の形態における堤体が構築されている。
【００３９】
なお、前記プレキャスト部材２１,２２,２３に形成された挿入孔２１ａ,２２ａ,２３ａの内壁と構造体１との間に充填材が充填されていてもよい。
この充填材としては、例えば、瓦礫や土石を使用してもよい。この場合、瓦礫や土砂とともに、モルタルを充填するのが好ましい。
また、充填材として場所打ちコンクリートを使用してもよい。この場合、挿入孔２１ａ,２２ａ,２３ａの内壁と構造体１との双方にコンクリートが付着するので、構造体１にプレキャスト部材２１,２２,２３をさらに強固に固定できる。
このようにして構築された防潮堤では、プレキャスト部材２１,２２,２３によって構成された壁体が、構造体１を支点とする構造壁として、津波や津波漂流物による外力に耐え得るものとなる。
【００４０】
なお、本実施の形態の堤体は防潮堤であるので、海岸線に沿って数キロメートルに亙って構築される。したがって、このような防潮堤は、所定数の構造体１を海岸線に沿って所定間隔で構築したうえで、当該所定数の構造体１にプレキャスト部材２１,２２,２３を外挿して固定する工程を順次繰り返して行うことによって、構築される。
【００４１】
また、左右に隣り合うプレキャスト部材２１,２１どうし、プレキャスト部材２２,２２どうし、プレキャスト部材２３,２３どうしは、互いに対向する側面が当接しているが、この対向する側面の一方の凹部を設け、他方に凸部を設け、互いの対向する側面を当接する際に、これらを凹凸嵌合させてもよいし、互いの対向する側面どうしを連結金具や場所打ちコンクリートによって連結してもよい。
さらに、上下に積み重ねられるプレキャスト部材２１,２１どうし、プレキャスト部材２１,２２どうし、プレキャスト部材２２,２３どうし、プレキャスト部材２３,２３どうしは、上下のプレキャスト部材どうしが接しているが、プレキャスト部材どうしが当接している一方の当接面に凹部を設け、他方の当接面に凸部を設け、上下のプレキャスト部材どうしを当接する際に、これらを凹凸嵌合させてもよい。
【００４２】
本実施の形態によれば、鋼管杭５に柱６が鋼管杭５の上端から突出するように挿入されているので、当該柱６の突出長さを調整することによって、構造体１の高さを調整することができる。したがって、この高さ調整された構造体１に壁体を構成するプレキャスト部材２１,２２,２３が外挿されて固定されているので、堤体の高さを容易に調整できる。
【００４３】
また、津波を受けることによって、構造体１に発生すると想定される断面力が大きい部分を含む位置に、ラップ部１０が設けられており、このラップ部１０は鋼管杭５と柱６の累加強度を耐力して評価できる。したがって、鋼管杭５や柱６の長さや太さ（直径）、さらに、ラップ部１０の位置や長さを調整することによって、津波等の外力に応じた経済的な設計が可能であり、堤体の強度（耐力）を容易に調整できる。よって、本実施の形態の堤体は津波の力に対して十分に耐え得るものとなる。
ラップ部１０の位置を調整する場合、鋼管杭５の高さや、柱６の鋼管杭５への挿入長さを調整することによって行え、ラップ部１０の長さを調整する場合、柱６の鋼管杭５への挿入長さを調整することによって行える。
また、構造体１は、鋼管杭５とこの鋼管５に挿入された柱６の挿入部６ａとの間に、コンクリートＣが充填されることによって、鋼管杭５と柱６とが一体化してなるものであるので、鋼管杭５と柱６との溶接が不要となり、その結果、工期を短縮できるとともに品質管理も容易であり、さらに、現場での寸法合わせも容易となる。
【００４４】
さらに、鋼管杭５と柱６とが一体化してなる構造体１に、壁体を構成するプレキャスト部材２１,２２,２３が外挿されて固定されているので、現場での鉄筋組立やそれに伴う溶接作業、さらには、型枠組立の作業が不要となり、施工期間の短縮化を図ることができる。
また、柱６がプレキャストコンクリート部材の一つである高強度プレストレストコンクリート杭（ＰＨＣ杭）によって構成されているので、当該柱６が潮風に含まれている塩分等によって腐食され難いという利点がある。
【００４５】
また、プレキャスト部材２１,２２,２３に形成された挿入孔２１ａ,２２ａ,２３ａと、構造体１との間に充填材を充填した場合、堤体（防潮堤）としての強度が高まるともに、充填材が場所打ちコンクリートの場合、構造体１にプレキャスト部材２１,２２,２３をさらに強固に固定でき、また、充填材が瓦礫や土石の場合、これらの処理にも役立つ。
さらに、構造体１に、プレキャスト部材２１,２２,２３に形成された挿入孔２１ａ,２２ａ,２３ａの内壁が固定金具１１,１２によって固定されているので、構造体１にプレキャスト部材２１,２２,２３を確実に固定できる。
加えて、構造体１にプレキャスト部材２１,２２,２３を固定した壁体構造となっているので、壁体の品質管理が容易であり、壁体の一部が損傷、劣化した場合、その部分のプレキャスト部材２１,２２,２３を取り換えることによって、部分的な補修も容易となる。
また、主要構造が鋼管杭５と柱６との一体構造であるため、構造的な弱点が無く粘り強いものとなるとともに、プレキャスト部材２１,２２,２３の厚さを薄くすることがきるので、堤体（防潮堤）として全体的にスリムになり、狭隘地にも容易に施工できる。
【００４６】
なお、本実施の形態では、構造体１に、プレキャスト部材２１,２２,２３を固定金具１１,１２によって固定したが、プレキャスト部材２１,２２,２３に形成された挿入孔２１ａ,２２ａ,２３ａと、構造体１との間に、コンクリート等のように挿入孔２１ａ,２２ａ,２３ａの内壁と構造体１との双方に付着可能なものを充填するのであれば、前記固定金具１１,１２は使用しなくてもよい。
【００４７】
（第２の実施の形態）
図９〜図１２は第２の実施の形態の堤体を示すもので、図９は背面図、図１０は側面図、図１１は図１におけるＢ−Ｂ線断面図、図１２は図１におけるＡ−Ａ線断面図である。
これらの図に示す堤体が、前記第１の実施の形態の堤体と異なる点は、構造体１に外挿されて固定されるプレキャスト部材３の構成であるので、以下ではこのプレキャスト部材について詳しく説明し、第１の実施の形態の堤体と同一構成には同一符号を付して、その説明を省略ないし簡略化する。
【００４８】
なお、図９および図１０においては、鋼管杭５および柱６は、内部構造であるので本来は隠れ線として破線で記載すべきものであるが、図示を分かりやすくするために実線で記載している。
【００４９】
プレキャスト部材３は鉄筋コンクリート製のもので、図９〜図１２に示すように、３種類用意されている。下段に上下に２つ設置されるものをプレキャスト部材３１、中段に上下に２つ設置されるものをプレキャスト部材３２、上段に上下に２つ設置されるものをプレキャスト部材３３とする。
３種類のプレキャスト部材３１,３２,３３は高さと左右方向の幅は等しくなっているが、奥行き方向の厚さが異なっている。厚さはプレキャスト部材３１が最も厚く、プレキャスト部材３２,３３の順で薄くなっている。
【００５０】
プレキャスト部材３３は、図１２および図１３に示すように、矩形板状の基板３ａと、この基板３ａに左右方向に所定間隔で複数（本実施の形態では３つ）形成された凸条３３ａとを備えている。凸条３３ａは平面視略台形状で、基板３ａの高さ方向に沿って形成されている。隣り合う凸条３３ａ,３３ａ間は、植栽を施す場所として利用できる。
凸条３３ａには、１つの構造体１を挿入する挿入孔３３ｂが形成されている。挿入孔３３ｂは１つの構造体１を挿入可能な大きさに形成され、平断面略台形状の貫通孔となっている。また、プレキャスト部材３３の基板３ａの側部には連結金物３ｂが設けられている。また、隣り合う凸条３３ａ,３３ａ間には、補強リブ３ｃが上下に所定間隔で形成されている。
同様にして、プレキャスト部材３２は、基板３ａ、凸条３２ａ、挿入孔３２ｂを備え、隣り合う凸条３２ａ,３２ａ間には、補強リブ３ｃが上下に所定間隔で形成されている。また同様にして、プレキャスト部材３１は、基板３ａ、凸条３１ａ、挿入孔３１ｂを備え、隣り合う凸条３１ａ,３１ａ間には、補強リブ３ｃが上下に所定間隔で形成されている。
また、前記凸条３１ａ,３２ａ,３３ａは、この順で基板３ａから突出長さが長くなっている。
【００５１】
そして、３個の構造体１に、プレキャスト部材３１,３２,３３を外挿する場合、下段から順にプレキャスト部材３１,３２,３３をそれぞれ２個ずつ、積み上げていくとともに、これらプレキャスト部材３１,３２,３３のそれぞれの３つの挿入孔３１ｂ,３２ｂ,３３ｂに構造体１を１個ずつ相対的に挿入することにより行う。
また、本実施の形態では、構造体１を構成する鋼管杭５の上端と中段の上側のプレキャスト部材３２の上端とが同じ高さに位置している。つまり、鋼管杭５に下段の２個のプレキャスト部材３１と中段の２個のプレキャスト部材３２とが外挿されている。
また、プレキャスト部材３１,３２,３３の挿入孔３１ｂ,３２ｂ,３３ｂに構造体１を挿入する場合、これらプレキャスト部材３１,３２,３３の海側を向く面（図１０において左側面）、つまり基板３ａが鉛直かつ面一になるようにして挿入して、プレキャスト部材３１の上に順次、プレキャスト部材３２,３３を積み重ねる。
さらに、左右に隣り合うプレキャスト部材３（３１,３２,３３）,３（３１,３２,３３）どうしの基板３ａ,３ａの側端面は互いに当接され、連結金具３ｂ,３ｂによって連結されている。
【００５２】
前記ようにして、上下に合計６個のプレキャスト部材３１,３２,３３が積み重ねられて堤体が構成される。このような堤体では、図１０に示すように、海側を向く面は鉛直な平面となっているが、それと反対側の陸側を向く面は階段状になっている。
【００５３】
なお、図１４に示すように、プレキャスト部材３が積み重ねられてなる堤体の陸側を向く面を、下方の方が前後方向の厚さが厚くなるような傾斜面に形成してもよい。この場合、上下に６段積み重ねるプレキャスト部材３は、側面視において台形状に形成されたものとなる。
【００５４】
前記のようにして積み上げられたプレキャスト部材３１,３２,３３に形成された挿入孔３１ｂ,３２ｂ,３３ｂの内壁と構造体１との間には、図１１および図１２に示すように、充填材３５が充填されている。
この充填材３５としては前述のように瓦礫、土砂、場所打ちコンクリート等を使用すればよい。
充填材３５として場所打ちコンクリートを使用すれば、挿入孔３１ｂ,３２ｂ,３３ｂの内壁と構造体１との双方にコンクリートが付着するので、構造体１にプレキャスト部材３１,３２,３３を強固に固定できる。
プレキャスト部材３１,３２では、挿入孔３１ｂ,３２ｂの内壁と、構造体１を構成する鋼管杭５との間に充填材３５が充填され、プレキャスト部材３３では、挿入孔３３ｂの内壁と、構造体を構成する柱６との間に充填材３５が充填されている。
図９および図１０に示した第２の実施の形態の堤体では、最上段のプレキャスト部材３３の部分の挿入孔３３ｂの内壁と、構造体を構成する柱６との間に充填する充填材３５として、場所打ちコンクリートを採用することによって、柱６が飛来する塩分等から保護されることで腐食され難くなる。
【００５５】
本実施の形態では、前記第１の実施の形態と同様の効果を得ることがきる他、プレキャスト部材３１,３２,３３に、それぞれ１つの構造体１を挿入する複数（本実施の形態では３個）の挿入孔３１ｂ,３２ｂ,３３ｂが形成されているので、構造体１に対するプレキャスト部材３１,３２,３３の固定精度が高まるという利点がある。
また、挿入孔３１ｂ,３２ｂ,３３ｂは、第１の実施の形態における挿入孔２１ａ,２２ａ,２３ａより断面積が小さいので、現場で挿入孔３１ｂ,３２ｂ,３３ｂに充填するコンクリートの量を減らすことができる。
【００５６】
なお、前記第１および第２の実施の形態では、鋼管５を杭、構造部材としてのプレキャストコンクリート部材（ＰＨＣ杭）を柱６とした場合を例にとって説明したが、本発明はこれに限ることなく、構造部材としてのプレキャストコンクリート部材を杭、鋼管を柱としてもよい。この場合、構造体は、杭と、この杭に当該杭の上端から突出するようにして外挿された鋼管柱との間にコンクリートが充填されることによって、鋼管柱と杭とが一体化したものとなる。
【００５７】
また、前記第１および第２の実施の形態では、構造体１を構成する構造部材として、プレキャストコンクリート部材を使用した場合を例にとって説明したが、構造部材はＨ形鋼等の鋼材であってもよい。Ｈ形鋼を使用する場合、そのフランジが堤体の正面と平行になるようにして、Ｈ形鋼を配置する。
この場合、構造部材と鋼管との双方が鋼材で構成されているので、鋼管と構造部材とが一体化してなる構造体としてさらに粘り強いものとなる。
【００５８】
また、構造部材を柱としてＨ形鋼等の鋼材によって構成した場合、この鋼材を鋼管杭に挿入するが、その場合、鋼材を鋼管杭に所定長さだけ挿入したうえで、この鋼材を鋼管杭に溶接やその他の補助部材等によって仮留めするとともに、鋼材の直下に底板を配置してこの底板を鋼管杭に固定したうえで、鋼管杭と鋼材との間にコンクリートを充填して、鋼管杭と鋼材とを一体化して構造体を構成すればよい。
さらに、前記第１および第２の実施の形態では、構造体１を横一列に配置した構造としたが、これに限ることなく、構造体１を複数列に配置した構造としてもよい。
【符号の説明】
【００５９】
１  構造体
２,３,２１,２２,２３,３１,３２,３３    プレキャスト部材
２１ａ,２２ａ,２３ａ,３１ｂ,３２ｂ,３３ｂ  挿入孔
５  鋼管杭（鋼管）
６  柱（構造部材）
１０  ラップ部
１１,１２  固定金具
【図１】
2014227775.tif 000003
【図２】
2014227775.tif 000004
【図３】
2014227775.tif 000005
【図４】
2014227775.tif 000006
【図５】
2014227775.tif 000007
【図６】
2014227775.tif 000008
【図７】
2014227775.tif 000009
【図８】
2014227775.tif 000010
【図９】
2014227775.tif 000011
【図１０】
2014227775.tif 000012
【図１１】
2014227775.tif 000013
【図１２】
2014227775.tif 000014
【図１３】
2014227775.tif 000015
【図１４】
2014227775.tif 000016